【手続補正書】
【提出日】平成17年4月6日(2005.4.6)
【手続補正１】
【補正対象書類名】明細書
【補正対象項目名】発明の名称
【補正方法】変更
【補正の内容】
【発明の名称】除湿機
【手続補正２】
【補正対象書類名】明細書
【補正対象項目名】特許請求の範囲
【補正方法】変更
【補正の内容】
【特許請求の範囲】
【請求項１】
湿度が異なる第１、第２領域と、水分を吸収する吸湿体が充填され第１、第２領域を通過するように回転する回転体とから成る吸湿器と、
第１領域を通るとともに前記吸湿体により水分が吸湿される吸湿用空気が通る吸湿経路と、
第２領域を通るとともに前記吸湿体から水分を取る再生用空気が通る再生経路と、
前記吸湿器に入れられる再生用空気が前記吸湿器の第２領域を均一に昇温するように該再生用空気を加熱するヒータと、
前記吸湿器を通過した再生用空気の水分を凝縮して排出する凝縮器と、
から成ることを特徴とする除湿機。
【請求項２】
前記ヒータは前記吸湿器の第２領域をなす扇形面に対面して配置される曲線状の電熱体から成り、前記電熱体の１／２以上の長さの部分が該扇形面を２等分する中心線に対して直交していないことを特徴とする請求項１に記載の除湿機。
【請求項３】
前記電熱体は前記扇形面に対して垂直な方向に複数列平行に配されるとともに、隣接した２列において該電熱体の傾斜角度が異なることを特徴とする請求項２に記載の除湿機。
【手続補正３】
【補正対象書類名】明細書
【補正対象項目名】０００７
【補正方法】変更
【補正の内容】
【０００７】
【発明が解決しようとする課題】
このような構成の除湿機において、図２３、図２４において凝縮器３を通過後の再生経路８は露点に達しているために結露が生じやすく水漏れが発生しないようにする水滴の回収手段や防カビ対策を必要とし、費用が増大する要因となっていた。また吸湿体２２（図２５参照）に空気中の水分が吸着される際の吸着熱や凝縮器３で再生経路の水分が凝縮される際の凝縮熱とともにヒータ５の熱が室内に放出され室温が上昇するために、使用者に不快感を与える場合があった。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】変更
【補正の内容】
【００３８】
【課題を解決するための手段】
上記目的を達成するために本発明の除湿機は、湿度が異なる第１、第２領域と、水分を吸収する吸湿体が充填され第１、第２領域を通過するように回転する回転体とから成る吸湿器と、第１領域を通るとともに前記吸湿体により水分が吸湿される吸湿用空気が通る吸湿経路と、第２領域を通るとともに前記吸湿体から水分を取る再生用空気が通る再生経路と、前記吸湿器に入れられる再生用空気が前記吸湿器の第２領域を均一に昇温するように該再生用空気を加熱するヒータと、前記吸湿器を通過した再生用空気の水分を凝縮して排出する凝縮器と、から成ることを特徴としている。
【手続補正２７】
【補正対象書類名】明細書
【補正対象項目名】００４０
【補正方法】変更
【補正の内容】
【００４０】
また、前記ヒータは前記吸湿器の第２領域をなす扇形面に対面して配置される曲線状の電熱体から成り、前記電熱体の１／２以上の長さの部分が該扇形面を２等分する中心線に対して直交していないことを特徴としている。この構成によると、第２領域をなす扇形面の中心線と直交しないように配された電熱体が再生用空気を加熱し、ヒータと対面する吸湿器の第２領域を通る際に回転体の任意の一点は電熱体と各電熱体間の空隙との背後を交互に横切って回転する。
【手続補正２８】
【補正対象書類名】明細書
【補正対象項目名】００４１
【補正方法】変更
【補正の内容】
【００４１】
また、前記電熱体は前記扇形面に対して垂直な方向に複数列平行に配されるとともに、隣接した２列において該電熱体の傾斜角度が異なることを特徴としている。この構成によると、再生用空気の進行方向に複数列並んで配置された電熱体は列毎に傾斜方向が異なり、吸湿体は網目状に配された電熱体の背後を回転し、均一に昇温されるようになっている。
【手続補正２９】
【補正対象書類名】明細書
【補正対象項目名】００４２
【補正方法】削除
【補正の内容】
【手続補正３０】
【補正対象書類名】明細書
【補正対象項目名】００４３
【補正方法】削除
【補正の内容】
【手続補正３１】
【補正対象書類名】明細書
【補正対象項目名】００４４
【補正方法】削除
【補正の内容】
【手続補正３２】
【補正対象書類名】明細書
【補正対象項目名】００４５
【補正方法】削除
【補正の内容】
【手続補正３３】
【補正対象書類名】明細書
【補正対象項目名】００４６
【補正方法】削除
【補正の内容】
【手続補正３４】
【補正対象書類名】明細書
【補正対象項目名】００４７
【補正方法】変更
【補正の内容】
【００４７】
【発明の実施の形態】
本発明の実施形態と本発明に対する参考形態を図を参照して説明する。なお以下の図１乃至図２２において従来例と同じ部材については同一の符号を付している。図１は第１参考形態の除湿機の概略図を示している。従来例（図２３参照）と異なる点は、吸湿器２を通過した高温多湿の再生用空気と凝縮器３を通過後の再生用空気との間で熱交換を行う熱交換器９を設けている。
【手続補正３５】
【補正対象書類名】明細書
【補正対象項目名】００４９
【補正方法】変更
【補正の内容】
【００４９】
図２は第２参考形態の除湿機の概略図を示している。同図によると凝縮器３を通過後の再生用空気をヒータ５に入れるような再生経路８が閉回路の場合について第１参考形態（図１参照）と同様に構成している。このような構成とすると第１参考形態と同様に熱交換器９以降の再生経路８ｃの結露を防止することができるようになるとともに、ヒータ５に入る再生用空気（再生経路８ｃ）の温度を予め上昇させておくことができるのでヒータ５の消費電力を低減させることができるようになる。
【手続補正３６】
【補正対象書類名】明細書
【補正対象項目名】００５１
【補正方法】変更
【補正の内容】
【００５１】
次に第３参考形態の除湿機を図３を参照して説明する。同図によると、吸湿器２の再生部２ｂと隣接し吸湿器２内部の回転体２１（図２５参照）の回転方向前方の回収部２ｂｂでは、再生部２ｂで昇温された吸湿体２２（図２５参照）がまだ高温状態を維持して回転移動されてくる。この回収部２ｂｂを通るように吸湿経路７から分岐するような分岐経路７ａを設け、回収部２ｂｂの熱を分岐経路７ａを通る吸湿用空気で回収し、熱交換器９によってヒータ５に入る前の再生用空気との間で熱交換している。
【手続補正３７】
【補正対象書類名】明細書
【補正対象項目名】００５２
【補正方法】変更
【補正の内容】
【００５２】
このような構成とすると第２参考形態と同様にヒータ５に入る再生用空気を予め昇温させておくことができるのでヒータの消費電力を低減させることができるようになる。更に、吸湿体２２が回転体２１の回転に伴って吸湿部２ａに入る前に分岐経路７ａを通る吸湿用空気によって降温され吸湿部２ａにおける吸湿効率を向上させることができる。
【手続補正３８】
【補正対象書類名】明細書
【補正対象項目名】００５４
【補正方法】変更
【補正の内容】
【００５４】
次に第４参考形態の除湿機を図４を参照して説明する。同図によると、第３参考形態（図３参照）と同様の構成であるが、吸湿器２内の回転体２１（図２５参照）の回転方向を正転（矢印Ａ）と逆転（矢印Ａ'）とが選択可能になっている。このようにすることで、回転体２１を矢印Ａ方向に正転させると第３参考形態と同様の効果が得られる。
【手続補正３９】
【補正対象書類名】明細書
【補正対象項目名】００５５
【補正方法】変更
【補正の内容】
【００５５】
回転体２１を矢印Ａ'方向に逆転させると分岐経路７ａが通る回収部２ｂｂは低温であるため、分岐経路７ａと吸湿用経路７とは従来例（図２４参照）と同様の１つの吸湿経路７と見なすことができる。このとき再生部２ｂに対して回転体２１の回転方向（矢印Ａ'）前方の高温部を通る比較的高温の乾燥した吸湿用空気が従来例と同様に除湿機１外に放出される。この高温乾燥空気を用いて衣類の乾燥などを行うことができるので、回転体２１の回転方向を選択することにより使用者が除湿優先あるいは衣類乾燥等の用途を使い分けることができるようになる。
【手続補正４０】
【補正対象書類名】明細書
【補正対象項目名】００５６
【補正方法】変更
【補正の内容】
【００５６】
次に第５参考形態の除湿機を図５を参照して説明する。同図によると、第３参考形態（図３参照）の分岐経路７ａ内に送風機１２を設けている。このような構成とすると、分岐経路７ａを通る吸湿用空気が吸湿体から吸収し、除湿機１外に放出される水分量が多くなって除湿性能を低下させないように、分岐経路７ａを通る吸湿用空気の流量を最適に設定することができるようになる。
【手続補正４１】
【補正対象書類名】明細書
【補正対象項目名】００５７
【補正方法】変更
【補正の内容】
【００５７】
次に第６参考形態の除湿機を図６を参照して説明する。同図によると、凝縮器３を通過後の再生経路８上に結露防止用ヒータ１７を設けており、凝縮器３によって冷却されて露点に達した再生用空気が通る再生経路８ｃの結露を防止することができるようにしている。
【手続補正４２】
【補正対象書類名】明細書
【補正対象項目名】００５８
【補正方法】変更
【補正の内容】
【００５８】
次に第７参考形態の除湿機を図７を参照して説明する。同図によると、吸湿経路７から吸湿器２を通らないように分岐した分岐経路７ｂを設けている。このようにすると凝縮器３を通過する吸湿用空気の流量を多くして凝縮の効率を向上させることができる。吸湿器２において所定量以上の吸湿用空気を通過させると吸湿体２２（図２５参照）の吸湿能力は低下するため所定量以上の吸湿用空気は分岐経路７ｂによって吸湿器２を通さずに除湿機１外に放出させている。
【手続補正４３】
【補正対象書類名】明細書
【補正対象項目名】００６０
【補正方法】変更
【補正の内容】
【００６０】
次に第８参考形態を図９、図１０を参照して説明する。図９の（ａ）、（ｂ）、（ｃ）は本参考形態の凝縮器３の上面図、正面図、側面図を示しており、図１０は図９におけるＤ部分を示す概略斜視図である。これらの図によると、凝縮器３上方に設けられた空気流入口３７から凝縮器３内に流入する高温多湿の再生用空気は矢印Ｅのように並列に形成された複数の凝縮用通路３４（第１通路）に分岐して下方に進行する。
【手続補正４４】
【補正対象書類名】明細書
【補正対象項目名】００６４
【補正方法】変更
【補正の内容】
【００６４】
また、金属製の凝縮器に比して熱伝導率が低くなるので凝縮効率が低下するが、肉厚ｔを０．５〜０．７ｍｍまで薄くするとともに、凝縮用通路３４の断面形状を幅方向の短い長孔状にして（図９のＨ部参照）凝縮用通路３４の通路数を増やすことによって凝縮効率を向上させている。本参考形態における凝縮用通路３４の内径は幅方向Ｄ＝８．６ｍｍ、厚み方向Ｗ＝２０．６ｍｍとし、凝縮用通路３４の幅方向のピッチはＰ＝１５ｍｍとしている。
【手続補正４５】
【補正対象書類名】明細書
【補正対象項目名】００６６
【補正方法】変更
【補正の内容】
【００６６】
次に第９参考形態を図１２を参照して説明する。同図によると、凝縮水を貯蔵する１次貯水槽１０を設けて第８参考形態の凝縮器３の排出口３９と連結している。１次貯水槽１０には水位センサ１４が設置され、所定の水位Ｊになるとポンプ１１によって図示しない２次貯水槽に水が送出され、水位が下がると（水位Ｗ）ポンプ１１が停止されるようになっている。
【手続補正４６】
【補正対象書類名】明細書
【補正対象項目名】００６９
【補正方法】変更
【補正の内容】
【００６９】
なお、第８、第９参考形態は凝縮器３について説明したが、高温の空気と低温の空気との熱交換を行うようになっているので、第１乃至第５参考形態に使用されるような熱交換器９においても同様の構成とすることが可能であり、同じ効果を得ることができるようになる。
【手続補正４７】
【補正対象書類名】明細書
【補正対象項目名】００７０
【補正方法】変更
【補正の内容】
【００７０】
次に第１０参考形態を図１４を参照して説明する。図１４は本参考形態のヒータ５の構成を説明する概略図である。同図によると、分岐した再生経路８ｊ、８ｋはヒータ５を通過する第１、第２昇温通路５ｃ、５ｄを通って吸湿器２の再生部２ｂ１、２ｂ２を通過する。吸湿器２の再生部２ｂ１の吸湿体２２（図２５参照）は、吸湿器２内で回転する回転体２１（図２５参照）の回転方向後方の再生部２ｂ２を通って予め昇温されているので余熱を有しており水分を放出する。このため再生経路８ｊを通る再生用空気は再生経路８ｋを通る再生用空気より低温であっても放出された水分を吸収して吸湿体２２を再生することができる。
【手続補正４８】
【補正対象書類名】明細書
【補正対象項目名】００７３
【補正方法】変更
【補正の内容】
【００７３】
次に第１１参考形態を図１５を参照して説明する。図１５は本参考形態のヒータ５の構成を説明する概略図である。同図によると、分岐した再生経路８ｊ、８ｋはヒータ５の内周部５ｅ、外周部５ｆを通って吸湿器２の再生部２ｂ３、２ｂ４を通過するようになっている。外周側の再生部２ｂ４は内周側の再生部２ｂ３より再生用空気の量が多いので、ヒータ５を構成する電熱体５ａ（図２６参照）の密度を外周部５ｆに対して内周部５ｅを小さくして再生経路８ｊを通る再生用空気の温度を再生経路８ｋを通る再生用空気の温度より低くすると、内周側の再生部２ｂ３が必要以上に高温とならず、再生部２ｂを回転通過する吸湿体２２（図２５参照）の温度が均一になり、無駄な電力を使用せずに消費電力を低減することができる。
【手続補正４９】
【補正対象書類名】明細書
【補正対象項目名】００７４
【補正方法】変更
【補正の内容】
【００７４】
次に第１実施形態を図１６を参照して説明する。図１６は本実施形態のヒータ５を示す正面図である。ヒータ５は吸湿器２の再生部２ｂを覆うように整列された電熱体５ａからなり、電熱体５ａは再生部２ｂを２等分する中心線Ｊに対して１／２以上が直交しないように形成されている。このようにするとヒータ５の背後で吸湿器２内を回転体２１（図２５参照）が回転すると、回転体２１内の任意の点はどの点も同じように、電熱体５ａとの接触の仕方が異なる電熱体５ａ背後の再生用空気と空隙５ｂ背後の再生用空気に交互に昇温されるので再生部２ｂの吸湿体２２は均一に昇温されるようになり、無駄な電力を使用せずに消費電力を低減することができる。
【手続補正５０】
【補正対象書類名】明細書
【補正対象項目名】００７６
【補正方法】変更
【補正の内容】
【００７６】
更に図１７の第２実施形態に示すように、再生用空気の流入方向に複数列並べるように電熱体５ａを配置し、該中心線Ｊに対する電熱体５ａの傾斜角度を各列で異ならせると更に再生部２ｂの均一な昇温が可能となるので望ましい。
【手続補正５１】
【補正対象書類名】明細書
【補正対象項目名】００７７
【補正方法】変更
【補正の内容】
【００７７】
次に第１２参考形態を図１８を参照して説明する。本参考形態においてはヒータ５（図２６参照）を必要とせず、吸湿器２内で吸湿体を再生するようにしている。図１８の（ａ）によると、ゼオライトなどの吸湿体５３を溶融した中にガラス繊維などの耐熱材料５２を浸して引き上げて冷却すると、繊維状になった繊維状吸湿体５４を形成することができる。
【手続補正５２】
【補正対象書類名】明細書
【補正対象項目名】００８０
【補正方法】変更
【補正の内容】
【００８０】
更に図２０の第１３参考形態に示すように電熱線５１を繊維状吸湿体５４で覆った一体部材５５をフレキシブルな部材５６と帯状に一体化すると吸湿体５３の密度を所望の密度に形成して吸湿器２内に設置することができるようになる。
【手続補正５３】
【補正対象書類名】明細書
【補正対象項目名】００８１
【補正方法】変更
【補正の内容】
【００８１】
次に第１４参考形態を図２１を参照して説明する。図２１は、本参考形態における回転体２１（図２５参照）の支持枠２４を示す正面図である。同図によると、再生用空気または吸湿用空気を通過可能なように格子孔２４ｃが同心円状リブ２４ａと放射状リブ２４ｂとによって形成されている。ここで隣接する３つの同心円状リブ２４ａを連結する放射状リブ２４ｂは一直線上に形成されずにずらして形成されている。
【手続補正５４】
【補正対象書類名】明細書
【補正対象項目名】００８３
【補正方法】削除
【補正の内容】
【手続補正５５】
【補正対象書類名】明細書
【補正対象項目名】００８４
【補正方法】削除
【補正の内容】
【手続補正５６】
【補正対象書類名】明細書
【補正対象項目名】００８５
【補正方法】削除
【補正の内容】
【手続補正５７】
【補正対象書類名】明細書
【補正対象項目名】００８６
【補正方法】削除
【補正の内容】
【手続補正５８】
【補正対象書類名】明細書
【補正対象項目名】００８７
【補正方法】削除
【補正の内容】
【手続補正５９】
【補正対象書類名】明細書
【補正対象項目名】００８８
【補正方法】削除
【補正の内容】
【手続補正６０】
【補正対象書類名】明細書
【補正対象項目名】００８９
【補正方法】削除
【補正の内容】
【手続補正６１】
【補正対象書類名】明細書
【補正対象項目名】００９０
【補正方法】削除
【補正の内容】
【手続補正６２】
【補正対象書類名】明細書
【補正対象項目名】００９１
【補正方法】削除
【補正の内容】
【手続補正６３】
【補正対象書類名】明細書
【補正対象項目名】００９２
【補正方法】削除
【補正の内容】
【手続補正６４】
【補正対象書類名】明細書
【補正対象項目名】００９３
【補正方法】削除
【補正の内容】
【手続補正６５】
【補正対象書類名】明細書
【補正対象項目名】００９４
【補正方法】削除
【補正の内容】
【手続補正６６】
【補正対象書類名】明細書
【補正対象項目名】００９５
【補正方法】変更
【補正の内容】
【００９５】
【発明の効果】
本発明によると、吸湿体を均一に昇温可能となり所望の再生効率を得るために無駄な電力を使用せずに構成することができる。
【手続補正６７】
【補正対象書類名】明細書
【補正対象項目名】００９６
【補正方法】変更
【補正の内容】
【００９６】
また、ヒータの背後を回転する回転体の任意の点はどの点も同じように電熱体と空隙との背後を交互に移動してヒータを通った再生用空気によって昇温されるので均一に昇温されるようになり、無駄な電力を使用しない。
【手続補正６８】
【補正対象書類名】明細書
【補正対象項目名】００９７
【補正方法】変更
【補正の内容】
【００９７】
また、吸湿体は更に均一に昇温されるようになり、無駄な電力を使用しない。
【手続補正６９】
【補正対象書類名】明細書
【補正対象項目名】００９８
【補正方法】削除
【補正の内容】
【手続補正７０】
【補正対象書類名】明細書
【補正対象項目名】００９９
【補正方法】削除
【補正の内容】
【手続補正７１】
【補正対象書類名】明細書
【補正対象項目名】０１００
【補正方法】削除
【補正の内容】
【手続補正７２】
【補正対象書類名】明細書
【補正対象項目名】図面の簡単な説明
【補正方法】変更
【補正の内容】
【図面の簡単な説明】
【図１】本発明の第１参考形態の除湿機を示す概略図である。
【図２】本発明の第２参考形態の除湿機を示す概略図である。
【図３】本発明の第３参考形態の除湿機を示す概略図である。
【図４】本発明の第４参考形態の除湿機を示す概略図である。
【図５】本発明の第５参考形態の除湿機を示す概略図である。
【図６】本発明の第６参考形態の除湿機を示す概略図である。
【図７】本発明の第７参考形態の除湿機を示す概略図である。
【図８】本発明の第７参考形態の除湿機の詳細を示す側面図である。
【図９】本発明の第８参考形態の除湿機に用いる凝縮器を示す図である。
【図１０】本発明の第８参考形態の除湿機に用いる凝縮器の部分詳細図である。
【図１１】本発明の第８参考形態の除湿機に用いる凝縮器の製法を示す図である。
【図１２】本発明の第９参考形態の除湿機に用いる凝縮器を示す図である。
【図１３】本発明の第９参考形態の除湿機を示す概略側面図である。
【図１４】本発明の第１０参考形態の除湿機に用いるヒータの構成を示す概略図である。
【図１５】本発明の第１１参考形態の除湿機に用いるヒータの構成を示す概略図である。
【図１６】本発明の第１実施形態の除湿機に用いるヒータを示す正面図である。
【図１７】本発明の第２実施形態の除湿機に用いるヒータを示す正面図である。
【図１８】本発明の第１２参考形態の除湿機に用いる電熱線を示す図である。
【図１９】本発明の第１２参考形態の除湿機に用いる電熱線の接続方法を示す図である。
【図２０】本発明の第１３参考形態の除湿機に用いる電熱線を示す図である。
【図２１】本発明の第１４参考形態の除湿機に用いる回転体の支持枠を示す正面図である。
【図２２】本発明の第１４参考形態の除湿機に用いる回転体の支持枠の熱膨張した状態を示す概略図である。
【図２３】従来の除湿機の例を示す概略図である。
【図２４】従来の除湿機の他の例を示す概略図である。
【図２５】従来の除湿機に用いる吸湿器を示す側面図である。
【図２６】従来の除湿機に用いるヒータを示す正面図である。
【符号の説明】
１    除湿機
２    吸湿器
２ａ  再生部
２ｂ  吸湿部
３    凝縮器
５    ヒータ
６    送風機
７    吸湿経路
８    再生経路
９    熱交換器
１０    貯水槽
１１    ポンプ
１４    水位センサ
２１    回転体
２２、５３  吸湿体